(57)【特許請求の範囲】
【請求項１】
ワイヤを巻き取るドラムとドラムを回転させるモータを備えた昇降装置本体を取付け天井に固定し、昇降装置本体からワイヤで昇降部を昇降自在に吊り下げ、昇降部に調整金具を回転軸により回動自在に取付け、調整金具の下面部にフランジを取付けると共にフランジに照明器具を回転自在に吊り下げ、昇降装置本体の両側に垂設した脚片の下部に回動金具の縦片を回動自在に取付け、回動金具の縦片の下端部から外側に向けて連出した外側横片を取付け天井の下方に位置する内天井の下面に当てた状態で取付け固定し、該回動金具の縦片の下端部から内側に向けて連出した内側横片に化粧枠を取付けることで内天井に設けた取付け孔に化粧枠を取付け、該化粧枠に調整金具を取付けた昇降部が挿通できる大きさの収納孔を設け、昇降部を引き上げた状態で昇降部を収納孔に挿通し且つフランジを化粧枠の下面の収納孔の周囲に当接して収納孔を遮蔽するようにした照明器具の昇降装置において、回動金具の縦片に複数の孔部を設け、複数の孔部のうち任意の孔部を選択してねじ具を挿通して該ねじ具により昇降装置本体の脚片に回動金具の縦片を回動自在に吊り下げると共にねじ具を挿通して吊り下げる孔部を選択することで回動金具の傾斜角度を変えるようにし、且つ調整金具に複数の角度調整孔を形成し、複数の角度調整孔のうち任意の角度調整孔を選択して回転軸を挿通して該回転軸により昇降部に対して調整金具を回動自在に吊り下げると共に回転軸を挿入して吊り下げる角度調整孔を選択することでフランジの傾斜角度を変えるようにしたものであって、いずれの角度調整孔に回転軸を挿入した状態においても回転軸と照明器具の回転中心とを同一垂直線上に位置させ、複数の角度調整孔のうちフランジの傾斜角度が回動金具に取付けた内天井の傾斜角度及び化粧枠の傾斜角度と同じ傾斜角度となる角度調整孔を選択して回転軸を該当する角度調整孔に挿入して成ることを特徴とする照明器具の昇降装置。
【発明の詳細な説明】
【０００１】
【発明の属する技術分野】
本発明は、照明器具を電動で昇降させるための照明器具の昇降装置に関するものである。
【０００２】
【従来の技術】
従来から、照明器具を電動で昇降させるための照明器具の昇降装置として図１４乃至図１６に示すようなものが知られている。この従来例にあっては、ワイヤ１を巻き取るドラム２とドラム２を回転させるモータ３を備えた昇降装置本体４を取付け天井５に固定し、昇降装置本体４からワイヤ１で昇降部６を昇降自在に吊り下げ、昇降部６に調整金具７を回動自在に取付け、調整金具７の下面部にフランジ９を取付けると共にフランジ９に照明器具１０を回転自在に吊り下げ、取付け天井５の下方に配設せる内天井１１に設けた取付け孔１２に化粧枠１３を取付けると共に該化粧枠１３に調整金具７を取付けた昇降部６が挿通できる大きさの収納孔１４を設け、昇降部６を引き上げた状態で昇降部６を収納孔１４に通し且つフランジ９を化粧枠１３の収納孔１４の周囲に当接して収納孔１４を遮蔽するようにしたものである。
【０００３】
ここで、調整金具７に複数の角度調整孔１５を形成し、複数の角度調整孔１５のうち任意の一つの角度調整孔１５に回転軸８を位置させて該回転軸８により昇降部６に対して調整金具７を回動自在に吊り下げ、回転軸８を挿入して吊り下げる角度調整孔１５を選択することでフランジ９の傾斜を変えるようにしている。この場合、フランジ９を取付けた調整金具７はそれ自体の重量バランスのみを考慮して、回転軸８を挿入して吊り下げる角度調整孔１５を選択するフランジ９の傾斜角度を複数種類の内天井１１の傾斜角度に対応するようになっていた。
【０００４】
【発明が解決しようとする課題】
したがって、上記従来例にあっては、図１４に示すように、フランジ９が内天井１１の傾斜と同じ傾斜となる角度調整孔１５を選択して（図１４においては右端の角度調整孔１５）に回転軸８を入れて吊り下げることで、フランジ９と内天井１１とを同じ傾斜にできるが、フランジ９の下部中央部に図１５のように照明器具１０の吊り具の上端を吊り下げると、フランジ９を取付けた調整金具７の重量に比べて照明器具１０の重量がはるかに大であるため、図１５、図１６のようにフランジ９を取付けた調整金具７が回動し、この結果、図１５、図１６のようにフランジ９の傾斜と内天井１１の傾斜とが異なってしまい、図１５、図１６の状態のままワイヤ１を引き上げるとフランジ９の下部が化粧枠１３の下部の下面に先に当り、この部分がフランジ９の上部が化粧枠１３の上部の下面に当たるまで擦れながらずれることになり、傷が付きやすく、また、昇降部６のスムーズな収納操作がし難いという問題がある。
【０００５】
本発明は上記の従来例の問題点に鑑みて発明したものであって、昇降部の収納がスムーズに行え、化粧枠の傷付きを防止できる照明器具の昇降装置を提供することを課題とするのである。
【０００６】
【課題を解決するための手段】
上記課題を解決するために本発明の照明器具の昇降装置は、ワイヤ１を巻き取るドラム２とドラム２を回転させるモータ３を備えた昇降装置本体４を取付け天井５に固定し、昇降装置本体４からワイヤ１で昇降部６を昇降自在に吊り下げ、昇降部６に調整金具７を回転軸８により回動自在に取付け、調整金具７の下面部にフランジ９を取付けると共にフランジ９に照明器具１０を回転自在に吊り下げ、昇降装置本体４の両側に垂設した脚片３０の下部に回動金具３１の縦片３２を回動自在に取付け、回動金具３１の縦片３２の下端部から外側に向けて連出した外側横片３４を取付け天井５の下方に位置する内天井１１の下面に当てた状態で取付け固定し、該回動金具３１の縦片３２の下端部から内側に向けて連出した内側横片３５に化粧枠１３を取付けることで内天井１１に設けた取付け孔１２に化粧枠１３を取付け、該化粧枠１３に調整金具７を取付けた昇降部６が挿通できる大きさの収納孔１４を設け、昇降部６を引き上げた状態で昇降部６を収納孔１４に挿通し且つフランジ９を化粧枠１３の下面の収納孔１４の周囲に当接して収納孔１４を遮蔽するようにした照明器具の昇降装置において、回動金具３１の縦片３２に複数の孔部３６を設け、複数の孔部３６のうち任意の孔部３６を選択してねじ具３３を挿通して該ねじ具３３により昇降装置本体４の脚片３０に回動金具３１の縦片３２を回動自在に吊り下げると共にねじ具３３を挿通して吊り下げる孔部３６を選択することで回動金具３１の傾斜角度を変えるようにし、且つ調整金具７に複数の角度調整孔１５を形成し、複数の角度調整孔１５のうち任意の角度調整孔１５を選択して回転軸８を通して該回転軸８により昇降部６に対して調整金具７を回動自在に吊り下げると共に回転軸８を挿入して吊り下げる角度調整孔１５を選択することでフランジ９の傾斜角度を変えるようにしたものであって、いずれの角度調整孔１５に回転軸８を挿入した状態においても回転軸８と照明器具１０の回転中心とを同一垂直線上に位置させ、複数の角度調整孔１５のうちフランジ９の傾斜角度が回動金具３１に取付けた内天井１１の傾斜角度及び化粧枠１３の傾斜角度と同じ傾斜角度となる角度調整孔１５を選択して回転軸８を該当する角度調整孔１５に挿入して成ることを特徴とするものである。このような構成により、複数の角度調整孔１５の任意の角度調整孔１５に回転軸８を挿入して調整金具７を回転自在に支持することで、フランジ９を該当する内天井１１及び化粧枠１３と同じ傾斜角度にすることができるものである。
【０００７】
【発明の実施の形態】
以下本発明を添付図面に示す実施形態に基づいて説明する。図中４は昇降装置本体であって、図２に示すように、内部にワイヤ１を巻き取るドラム２とドラム２を回転させるモータ３が設けてある。
この昇降装置本体４は取付け天井５に吊りボルト２０により取付けられる。昇降部６はワイヤ１により吊り下げられており、この昇降部６の下部の中央部には下方に向けて脚部２１が垂設してあり、この脚部２１に調整金具７が回転軸８により回転自在に取付けてある。
【０００８】
ここで、調整金具７には弧状孔２２が設けてあり、この弧状孔２２の上縁部の複数箇所に複数の角度調整孔１５が設けてある。そして、回転軸８は弧状孔２２にスライド自在に挿入してあって、その先端部は昇降部６の脚部２１に固着してあり、該回転軸８を弧状孔２２内をスライドさせて任意の角度調整孔１５に回転軸８を通して任意の角度調整孔１５に対して回転軸８に対して遊嵌状態となることで、調整金具７が昇降部６に対して回転自在となっている。
【０００９】
調整金具７の下面部にはフランジ９が取付けられる。このフランジ９の下面部には更に照明器具フランジ９ａが取付けられる。照明器具フランジ９ａの下面部の中央部には照明器具吊り下げ部２３が設けてあり、この照明器具吊り下げ部２３にチェーンや紐体のような吊り具２４の上端部を回動自在に吊り下げ、該吊り具２４に照明器具１０が吊り下げてある。ここで、照明器具吊り下げ部２３が照明器具１０のフランジ９に対して相対的に回転する回転中心となっている。
【００１０】
ここで、上記のようにして照明器具１０を吊り下げると、調整金具７及びフランジ９（照明器具フランジ９ａも含む）の合計重量よりも、照明器具１０の重量がはるかに重いので、回転軸８を複数個の角度調整孔１５のいずれの角度調整孔１５に挿入して吊り下げても、照明器具１０の吊り具２４の上端の照明器具吊り下げ部２３への吊り下げ部である回転中心（図２においてＡで示す）が必ず回転軸８と同一垂直線上に位置するようになる。
【００１１】
上記のように、照明器具１０を吊り下げると複数の角度調整孔１５のいずれに回転軸８を挿入して吊り下げても、照明器具１０の回転中心Ａと回転軸８とが同一垂直線上に位置するが、回転軸８を挿入する角度調整孔１５が異なると、フランジ９の角度がそれぞれ異なる角度となる。そこで、複数の角度調整孔１５のうちそれぞれの角度調整孔１５に回転軸８を挿入して吊り下げ支持した場合に、照明器具１０を吊り下げた状態における（つまり照明器具１０の回転中心Ａと回転軸８とが同一垂直線上に位置する状態における）フランジ９のなす角度をそれぞれ内天井１１のあらかじめ予定されている複数の傾斜にそれぞれ対応するように設定してある。例えば、図２において複数の角度調整孔１５のうち左から１番目の角度調整孔１５ａに回転軸８を挿入した状態では、照明器具１０の回転中心Ａと回転軸８とが同一垂直線上に位置し且つフランジ９が水平となるように設定してあり、また、左から２番目の角度調整孔１５ｂに回転軸８を挿入した状態では、照明器具１０の回転中心Ａと回転軸８とが同一垂直線上に位置し且つフランジ９が水平に対して１０°傾斜して１０°の傾斜角度の内天井１１に対応するように設定してあり、また、左から３番目の角度調整孔１５ｃに回転軸８を挿入した状態では、照明器具１０の回転中心Ａと回転軸８とが同一垂直線上に位置し且つフランジ９が水平に対して２０°傾斜して２０°の傾斜角度の内天井１１に対応するように設定してあり、また、左から４番目の角度調整孔１５ｄに回転軸８を挿入した状態では、照明器具１０の回転中心Ａと回転軸８とが同一垂直線上に位置し且つフランジ９が水平に対して３０°傾斜して３０°の傾斜角度の内天井１１に対応するように設定してある。
【００１２】
取付け天井５の下方に配設せる内天井１１には取付け孔１２が形成され、この取付け孔１２に化粧枠１３が取付けられる。この化粧枠１３には調整金具７を取付けた昇降部６が挿通できる大きさの収納孔１４が設けてある。
しかして、現場において内天井１１の傾斜に対応して、複数個の角度調整孔１５のうちから回転軸８を挿入する角度調整孔１５を選択して回転軸８により昇降部６に調整金具７を取付ける。例えば、内天井１１が水平の場合には左から１番目の角度調整孔１５ａに回転軸８を挿入して調整金具７を吊り下げることで、照明器具１０を吊り下げた状態でフランジ９を水平にでき、また、内天井１１の傾斜角度が１０°の場合には左から２番目の角度調整孔１５ｂに回転軸８を挿入して調整金具７を吊り下げることで、照明器具１０を吊り下げた状態でフランジ９の傾斜角度を１０°にでき、また、内天井１１の傾斜角度が２０°の場合には左から３番目の角度調整孔１５ｃに回転軸８を挿入して調整金具７を吊り下げることで、照明器具１０を吊り下げた状態でフランジ９の傾斜角度を２０°にでき、また、内天井１１の傾斜角度が３０°の場合には左から４番目の角度調整孔１５ｄに回転軸８を挿入して調整金具７を吊り下げることで、照明器具１０を吊り下げた状態でフランジ９の傾斜角度を３０°にできるので、ワイヤ１を巻き上げてフランジ９を化粧枠１３の下面の収納孔１４の周囲に当接した場合、フランジ９の上端外周部の各部が同時に化粧枠１３の下面に当接し、したがって、従来のようにフランジ９の外周の一部が先に化粧枠１３に当接した状態で擦りながらずれて取付けられるというようなことがなく、化粧枠１３を傷つけることなく、スムーズに昇降部６と調整金具７とを化粧枠１３の収納孔１４に挿通して収納し、フランジ９により化粧枠１３の下面の収納孔１４を遮蔽することができるものである。この状態が照明器具１０の最終取付け状態であって、照明器具１０はこの状態で使用される。そして、ランプ交換や掃除等の場合にはワイヤ１を巻き戻すことで、照明器具１０を下方に下げてランプ交換をしたり、掃除をしたりするものである。
【００１３】
ところで、現場で施工する場合の施工順序は以下の順序で行うものである。
すなわち、まず、内天井１１に図４のようにして取付け孔１２をあける。次に、図５に示すようにゲージ紙３９を用いて取付け孔１２の両側の内天井１１下面に印４０を付ける。この場合、印４０は後で取付ける化粧枠１３の外径の内側に付ける。上記印４０の位置は、両側に付けた印４０を結ぶ線が取付け孔１２の中心を通るような位置に付けるものである。
【００１４】
次に、取付け天井５に吊りボルト２０を取付ける。ここで、図６（ａ）のように、内天井１１が水平な場合には吊りボルト２０の中心Ｏと取付け孔１２の中心Ｐとを一致させる。また、図６（ｂ）のように、内天井１１の傾斜角度が１０°の場合には吊りボルト２０の中心Ｏと取付け孔１２の中心Ｐとが７ｍｍずれるようにする。また、図６（ｃ）のように、内天井１１の傾斜角度が２０°の場合には吊りボルト２０の中心Ｏと取付け孔１２の中心Ｐとが１５ｍｍずれるようにする。また、図６（ｄ）のように、内天井１１の傾斜角度が３０°の場合には吊りボルト２０の中心Ｏと取付け孔１２の中心Ｐとが２０ｍｍずれるようにする。また、図６（ｅ）のように、内天井１１の傾斜角度が４０°の場合には吊りボルト２０の中心Ｏと取付け孔１２の中心Ｐとが１０ｍｍずれるようにする。なお、吊りボルト２０の中心Ｏと取付け孔１２の中心Ｐとを内天井１１の傾斜角度に応じてずらしたのは、吊りボルト２０に昇降装置本体４を取付けた場合に、フランジ９の下面部の中心（つまり照明器具吊り下げ部２３の位置）が吊りボルト２０、回転軸８と一致するようにするためである。そして、取付け孔１２の中心を通り且つ内天井１１に直交する線上に該フランジ９の下面部の中心が位置することになる。
【００１５】
ここで、図３に示すように昇降装置本体４の両側には脚片３０が垂設してあり、脚片３０の下部には回動金具３１の縦片３２がねじ具３３により回動自在に取付けてある。図７に示すように回動金具３１の下端部には外側に向けて外側横片３４が連出され、また回動金具３１の下端部には内側に向けて内側横片３５が連出されている。回動金具３１の縦片３２には弧状をした弧状孔６０が設けてあり、弧状孔６０の上縁部の複数箇所に複数の孔部３６が設けてあり、ねじ具３３は弧状孔６０を挿通して脚片３０に螺合してある。そして、ねじ具３３を緩めることで任意の孔部３６にねじ具３３を位置させて回動金具３１を吊り下げるようになっている。ここで、図７において右から１番目の孔部３６ａにねじ具３３を位置させた状態では回動金具３１は後述の位置決め用施工金具３８を取付けた状態における自身の自重により外側横片３４が水平となるように設定してあり、また、図７において右から２番目の孔部３６ｂにねじ具３３を位置させた状態では回動金具３１は後述の位置決め用施工金具３８を取付けた状態における自身の自重により外側横片３４が１０°傾斜するように設定してあり、また、図７において右から３番目の孔部３６ｃにねじ具３３を位置させた状態では回動金具３１は後述の位置決め用施工金具３８を取付けた状態における自身の自重により外側横片３４が２０°傾斜するように設定してあり、また、図７において右から４番目の孔部３６ｄにねじ具３３を位置させた状態では回動金具３１は後述の位置決め用施工金具３８を取付けた状態における自身の自重により外側横片３４が３０°傾斜するように設定してある。なお、図７において孔部３６ｅにねじ具３３を位置させた状態では回動金具３１は後述の位置決め用施工金具３８を取付けた状態における自身の自重により外側横片３４が４０°傾斜するように設定してある。
【００１６】
そして、内天井１１の傾斜角度に合わせて回動金具３１の角度を合わせる。次に、吊りボルト２０に昇降装置本体４を挿入してナットにより取付けると共に、回動金具３１の外側横片３４を内天井１１の下面に当て、木ねじ３７により固定する。この場合、図８に示すように、両側に位置する内側横片３５間に図１３に示すような位置決め用施工金具３８を配置してねじにより取付けておき、位置決め用施工金具３８の両側に設けた目印４１をすでに内天井１１の下面に付けている印４０に合わせて外側横片３４の位置決めした状態で、外側横片３４を内天井１１の下面に木ねじ３７により取付けるものである。このことにより前述のように、内天井１１の傾斜に応じて吊りボルト２０の位置を取付け孔１２の中心からずらした状態で、外側横片３４の内天井１１への固定位置をそれぞれ内天井１１の傾斜に対応して取付け孔１２の中心からずらして取付けることができるものである。つまり、図１２（イ）には内天井１１が水平の場合、（ロ）は内天井１１が１０°傾斜した場合、（ハ）は内天井１１が２０°傾斜した場合、（ニ）は内天井１１が３０°傾斜した場合、（ホ）は内天井１１が４０°傾斜した場合を示しており、図１２において、Ｌは吊りボルト２０の位置（＝昇降部６の中心位置）、Ｐは埋め込み孔１２の中心を示している。
【００１７】
尚、位置決め用施工金具３８には内天井１１の傾斜に応じた取付け時のずれ状態の説明を表示するための表示欄５０を設けてもよい。
次に、位置決め用施工金具３８を外し、内側横片３５の位置決め用施工金具３８を取付けていた孔を利用して図９のように化粧枠１３を取付ける。次に、図１０のようにワイヤ１を巻き戻して昇降部６を下降させ、内天井１１の傾斜に合わせて既に述べたように複数の角度調整用孔５のうち内天井１１の傾斜角度に対応した角度調整孔１５を選択して回転軸８により調整金具７を回転自在に取付けて調整金具７の角度調整をする。
【００１８】
次に、図１１のように調整金具７にフランジ９を取付ける。更に、フランジ９に照明器具フランジ９ａを取付け、照明器具フランジ９ａに照明器具１０を吊り具２４を介して吊り下げるものである。
上記のようにして施工するのであるが、吊りボルト２０の取付けに当たって、吊りボルト２０の中心Ｏと取付け孔１２の中心Ｐとを内天井１１の傾斜角度に応じてずらしてあるので、吊りボルト２０に昇降装置本体４を取付けた場合に、フランジ９が内天井１１と同じ角度に傾斜していても、フランジ９の下面部の中心（つまり照明器具吊り下げ部２３の位置）と吊りボルト２０、回転軸８とを一致させると共に取付け孔１２の中心を通り且つ内天井１１に直交する線上に該フランジ９の下面部の中心を位置させることができる。そして、このような内天井１１の傾斜角度に対応して前述のように図１２に示すような位置決め用施工金具３８を用いることで、現場において簡単且つ確実に外側横片３４を内天井１１の下面に木ねじ３７により取付けるものである。
【００１９】
なお、添付図面に示す実施形態においては、取付け天井５が傾斜し、内天井１１が取付け天井５と同じ傾斜となるように傾斜させた実施形態が示してあるが、取付け天井５は傾斜していても、傾斜していなくてもよく、また、内天井１１は取付け天井５と同じ傾斜であっても、あるいは異なる傾斜であってもよい。
また、図７に示す施工例を示す図面では回動金具３１に４０°傾斜した内天井１１に対応できるようにねじ具３３を挿入する孔部３６ｅを設けたが、この場合には調整金具７にも４０°傾斜した内天井１１に対応するための角度調整孔を更に設けるようにしてもよい。
【００２０】
【発明の効果】
本発明にあっては、上述のように、回動金具の縦片に複数の孔部を設け、複数の孔部のうち任意の孔部を選択してねじ具を挿通して該ねじ具により昇降装置本体の脚片に回動金具の縦片を回動自在に吊り下げると共にねじ具を挿通して吊り下げる孔部を選択することで回動金具の傾斜角度を変えるようにし、且つ調整金具に複数の角度調整孔を形成し、複数の角度調整孔のうち任意の角度調整孔を選択して回転軸を挿通して該回転軸により昇降部に対して調整金具を回動自在に吊り下げると共に回転軸を挿入して吊り下げる角度調整孔を選択することでフランジの傾斜角度を変えるようにしたものであって、いずれの角度調整孔に回転軸を挿入した状態においても回転軸と照明器具の回転中心とを同一垂直線上に位置させ、複数の角度調整孔のうちフランジの傾斜角度が回動金具に取付けた内天井の傾斜角度及び化粧枠の傾斜角度と同じ傾斜角度となる角度調整孔を選択して回転軸を該当する角度調整孔に挿入してあるので、複数の角度調整孔の任意の角度調整孔に回転軸を挿入して調整金具を回転自在に支持することで、フランジを該当する内天井及び化粧枠と同じ傾斜角度にすることができるものであり、この結果、フランジの傾斜角度が内天井の傾斜角度と異なる従来例に比べて、昇降部の収納がスムーズに行え、化粧枠がフランジにより傷付くのが防止できるものである。
【図面の簡単な説明】
【図１】本発明の照明器具を引き上げている途中の状態を示す全体断面図である。
【図２】同上の要部拡大断面図である。
【図３】同上の分解斜視図である。
【図４】同上の施工順序を示し、内天井に取付け孔をあけた段階の斜視図である。
【図５】同上のゲージ紙により内天井に印を付ける段階を示す説明図である。
【図６】同上の吊りボルトを取付ける段階を示し、（ａ）乃至（ｅ）はそれぞれ内天井の傾斜の異なる場合における吊りボルトと取付け孔の中心との位置関係を示す説明図である。
【図７】同上に用いる回動金具を示す正面図である。
【図８】（ａ）は同上の位置決め用施工金具を用いて外側横片を内天井の目的とする位置に固定している状態の斜視図であり、（ｂ）は同上の要部拡大下面図である。
【図９】同上の化粧枠の取付け段階を示す斜視図である。
【図１０】同上の調整金具の取付け角度調整の段階を示す斜視図である。
【図１１】同上のフランジの取付け段階を示す斜視図である。
【図１２】同上の内天井の傾斜が違った場合における取付け孔の中心とねじ具の中心との位置関係を示す説明図である。
【図１３】同上に用いる位置決め用施工金具を示す斜視図である。
【図１４】従来例を示す断面図である。
【図１５】従来例の問題点を示す断面図である。
【図１６】従来例の問題点を示す全体断面図である。
【符号の説明】
１  ワイヤ
２  ドラム
３  モータ
４  昇降装置本体
５  取付け天井
６  昇降部
７  調整金具
８  回転軸
９  フランジ
１０  照明器具
１１  内天井
１２  取付け孔
１３  化粧枠
１４  収納孔
１５  角度調整孔
【図１】
0003842837.tif 000002
【図２】
0003842837.tif 000003
【図３】
0003842837.tif 000004
【図４】
0003842837.tif 000005
【図５】
0003842837.tif 000006
【図６】
0003842837.tif 000007
【図７】
0003842837.tif 000008
【図８】
0003842837.tif 000009
【図９】
0003842837.tif 000010
【図１０】
0003842837.tif 000011
【図１１】
0003842837.tif 000012
【図１２】
0003842837.tif 000013
【図１３】
0003842837.tif 000014
【図１４】
0003842837.tif 000015
【図１５】
0003842837.tif 000016
【図１６】
0003842837.tif 000017